(57)【要約】  【課題】  一般的に普及可能であり、体外循環できる腫瘍免疫抑制性蛋白質吸着材カラムと抗悪性腫瘍剤との組合せ使用方法を提供し、ひいては癌の治療に役立てることを課題とする。  【解決手段】  癌の治療において抗悪性腫瘍剤を投与した後もしくは投与する前に、体外循環使用することを特徴とする腫瘍免疫抑制物質吸着材を充填した体外循環カラムの使用方法。【選択図】なし【特許請求の範囲】
【請求項１】
腫瘍免疫抑制物質吸着材を充填した体外循環カラムの使用方法であって、抗悪性腫瘍剤と併用して、体外循環に使用することを特徴とする体外循環カラムの使用方法。
【請求項２】
腫瘍免疫抑制物質吸着材を充填した体外循環カラムの使用方法であって、抗悪性腫瘍剤を投与した後、体外循環に使用することを特徴とする体外循環カラムの使用方法。
【請求項３】
抗悪性腫瘍剤が代謝拮抗性抗悪性腫瘍剤であることを特徴とする請求項１または２記載の体外循環カラムの使用方法。
【請求項４】
代謝拮抗性抗悪性腫瘍剤がゲムシュタビンであることを特徴とする請求項３記載の体外循環カラムの使用方法。
【請求項５】
腫瘍免疫抑制物質が免疫抑制酸性蛋白であることを特徴とする請求項１または２記載の体外循環カラムの使用方法。
【請求項６】
腫瘍免疫抑制物質がトランスフォーミング・グロウス・ファクター・ベータであることを特徴とする請求項１または２記載の体外循環カラムの使用方法。
【請求項７】
腫瘍免疫抑制物質吸着材が、比表面積が１グラム当たり０．１平方メートル以上であり、かつ水不溶性担体に親水性アミン残基を結合していることを特徴とする請求項１または２記載の体外循環カラムの使用方法。
【請求項８】
腫瘍免疫抑制物質吸着材を充填した体外循環カラムであって、抗悪性腫瘍剤の投与を伴う体外循環に用いられることを特徴とする体外循環カラム。
【発明の詳細な説明】
【技術分野】
【０００１】
本発明は、血液中に過剰に存在すれば免疫の大幅な低下を招き、癌の形成が促進されるＴＧＦβや免疫抑制酸性蛋白などの腫瘍免疫抑制物質を除去するための体外循環カラムの使用方法に関する。
【背景技術】
【０００２】
医学の発達した今日でも、依然として日本人の主な死亡原因の一つが癌である。その原因は患者には手術で取りきれない癌細胞が存在するためであり、その排除のため抗癌剤治療や放射線治療が行われてきた。しかし、患者の血中には免疫を抑制する物質が存在するためこれらの作用が妨げられている。また、これらの治療は正常細胞をも傷害するため投与量や放射量に限界があるので、患者の生命を維持しつつ癌細胞を完全に除去することができない。
【０００３】
そこで、血漿交換によって免疫抑制酸性蛋白や癌胎児性抗原などの免疫抑制物質を除去する試みや血漿をガラスビーズ製の吸着材で処理して免疫抑制物質を除去する試み（例えば、非特許文献１参照）が行われた。また、血漿交換と抗癌剤シクロホスファミドとの併用療法も試みられた（例えば、非特許文献２参照）。しかし、治療効果は十分ではなかった。その主たる理由としては吸着材の吸着能力が不足していたことと、使用方法が適正で無かったことが考えられる。
【０００４】
最近、腫瘍（癌）免疫抑制物質として免疫抑制酸性蛋白や癌胎児性抗原のほかにトランスフォーミング・グロウス・ファクター・ベータ（ＴＧＦβ）が重要であることが分かってきた。ＴＧＦβは、健康な人の血液中にも存在する蛋白質で免疫作用を調整する重要な物質であるが、癌の進行に伴って異常に増え、癌細胞の増殖を助けていると考えられる。ＴＧＦβは単独では分子量２５０００程度の蛋白質であるが、血中では他の蛋白質と結合して１０万前後の分子量で存在する（潜在型ＴＧＦβ）ため、従来の吸着材では吸着除去が困難な物質である。
【０００５】
最近、疎水性リガンドを持つビーズのＴＧＦβ吸着材（特許文献１参照）が提案された。しかし、これは分子量２５０００のリコンビナントＴＧＦβを血清に加えて調製したモデル血清で材料をスクリーニングしたことにより見出された吸着材であり、また、分析値も通常の血清中にナノグラム／ｍＬ濃度で存在する潜在型ＴＧＦβの濃度に比較して著しく低いので、分子量２５０００の活性型ＴＧＦβに対する吸着材であろう。この吸着材は血液中に存在する分子量１０万の潜在型ＴＧＦβに対し有効かどうかは疑問がある。
【０００６】
また、分子量の大きな腫瘍免疫抑制物質の除去には、理論上、血漿交換も有効であるが、原理的に除去効率が良くない上に、感染の危険が避けがたい本質的な欠点がある。
【０００７】
一方、進行した癌を腫瘍免疫抑制物質の除去だけで治すことは一般的に困難であり、そのため、抗腫瘍剤との組合せは不可欠である。
【非特許文献１】峠ら、「がん治療における血漿交換療法の意義」、Biotherapy、２巻、１９８８年、ｐ１０１９−１０２８
【非特許文献２】西岡ら、「膜型血漿交換療法の担癌ラット腫瘍増殖抑制に与える影響−免疫化学療法との併用効果について−」、人工臓器、１４巻、１９８５年、ｐ３６１−３６５
【特許文献１】特開２００１−２１８８４０号公報
【発明の開示】
【発明が解決しようとする課題】
【０００８】
本発明は、かかる従来技術の問題点に鑑み、一般的に普及可能であり、体外循環できる腫瘍免疫抑制性蛋白質吸着材カラムと抗悪性腫瘍剤との組合せ使用方法を提供し、ひいては癌の治療に役立てることを目的とする。
【課題を解決するための手段】
【０００９】
すなわち本発明は、腫瘍免疫抑制物質吸着材を充填した体外循環カラムの使用方法であって、抗悪性腫瘍剤を投与した後、もしくは抗悪性腫瘍剤と併用して、体外循環に使用することを特徴とする体外循環カラムの使用方法である。
【発明の効果】
【００１０】
本発明により、進行癌の治療または患者の延命およびクオリティ・オブ・ライフの向上が可能である。
【発明を実施するための最良の形態】
【００１１】
続いて、本発明についてさらに詳細に説明する。
【００１２】
本発明で用いる抗悪性腫瘍剤としては、単独使用で抗腫瘍性を示す薬剤であれば良く、特に制限されない。具体例を挙げると、ゲムシュタビン、フルオロウラシル、テガフール、シタラビン、メトトレキセートなどで代表される代謝拮抗性抗悪性腫瘍剤、シクロホスファミドで代表されるアルキル化剤、ビンクリスチン、ビンブラスチン、ビンデシン、エトポシド、イリノテカン、ドセタキセル、パクリタキセルなどで代表されるアルカロイド系抗悪性腫瘍剤、ドキソルビシン、エピルビシン、ビラルビシン、ダウノルビシン、マイトマイシンＣ、アクチノマイシンＤ、ペプロマイシン、ネオカルチノスタチン、ブレオマイシンなどで代表される抗生物質抗悪性腫瘍剤、ゲフィチニブなどで代表される酵素阻害性抗悪性腫瘍剤、シスプラチン、カルボプラチンなどがある。なかでも代謝拮抗性抗悪性腫瘍剤が、アルキル化剤に認められるような発癌性が無く、且つ、骨髄などに対する毒性も低いので、好ましい。さらに、代謝拮抗性抗悪性腫瘍剤のなかでもゲムシュタビンは、腫瘍細胞内での代謝が遅いために抗腫瘍効果が持続し、多くの固形腫瘍に対して抗腫瘍効果を示すので、特に、好ましい。
【００１３】
本発明における抗悪性腫瘍剤の好ましい投与方法としては、腫瘍の近くの組織に注射する方法、静脈に注射する方法、筋肉内に注射する方法、経口で投与する方法、腹腔内に投与する方法などがあり、特に制限はされないが、薬の特性に応じて適宜採用することが好ましい。投与量が少なすぎると、本発明の効果が低く、投与量が多すぎると、骨髄抑制などが起き、腫瘍免疫の誘導が抑制され、抗腫瘍効果が逆に低下してしまう。一般的には個々の抗悪性腫瘍剤に指定された適正投与量の１００分の１以上２分の１以下の使用が望ましい。投与時期は体外循環治療に先だって行っても、体外循環の後でもかまわない。体外循環前に投与する場合、抗悪性腫瘍剤の投与は好ましくは体外循環治療の直前まで、好ましくは２４時間から２００時間前、より好ましくは２４時間から１００時間前に行われる。また、体外循環の後で、抗癌剤投与を行うことも効果的である。この場合は体外循環直後から、好ましくは体外循環治療の２４時間から２００時間後、より好ましくは２４時間から１００時間前後に行われる。なお、体外循環中に抗癌剤を投与することも可能であるが、その場合、カラム担体への抗癌剤の吸着性について考慮の上、実施することが好ましい。
【００１４】
本発明における腫瘍免疫抑制物質としては、前述のＴＧＦβ（潜在型ＴＧＦβ）、免疫抑制酸性蛋白、癌胎児性抗原などがあるが、本発明の方法はＴＧＦβ、特に潜在型ＴＧＦβを除去するのに適している。
【００１５】
本発明における腫瘍免疫抑制物質吸着材としては、潜在型ＴＧＦβで代表される腫瘍免疫抑制物質を血液中から吸着できるものであれば良く、特に制限されない。
【００１６】
腫瘍免疫抑制物質吸着材の具体例としては、比表面積が１グラム当たり０．１平方メートル以上であり、水不溶性担体に親水性アミン残基を結合しているものが挙げられる。水不溶性担体の具体例としてはポリスチレンで代表されるポリ（芳香族ビニル化合物）、ポリ（ｐ−フェニレンエーテルスルホン）や−｛（ｐ−Ｃ6 Ｈ4 ）−Ｃ（ＣＨ3）2−（ｐ−Ｃ6 Ｈ4 ）−Ｏ−（ｐ−Ｃ6 Ｈ4 ）−ＳＯ2 −（ｐ−Ｃ6 Ｈ4 ）−Ｏ−｝n−（以下ユーデルポリスルホンと略記する）などで代表されるポリスルホン系重合体、ポリエーテルイミド、ポリイミド、ポリアミド、ポリエーテル、ポリフェニレンサルファイドなどで、かつ、親水性アミンを固定化できるものがあげられる。親水性アミンを固定化するための反応性官能基としては、ハロメチル基、ハロアセチル基、ハロアセトアミドメチル基、ハロゲン化アルキル基などの活性ハロゲン基、エポキサイド基、カルボキシル基、イソシアン酸基、チオイソシアン酸基、酸無水物基などをあげることができるが、とりわけ、活性ハロゲン基、中でも、ハロアセチル基は、製造が容易な上に、反応性が適度に高く、親水性アミンの固定化反応が温和な条件で遂行できると共に、この際生じる共有結合が化学的に安定なので好ましい。さらに具体的な例としては、クロルアセトアミドメチルポリスチレン、クロルアセトアミドメチル化したユーデル・ポリスルホン、クロルアセトアミドメチル化したポリエーテルイミドなどがあげられる。
【００１７】
さらに、親水性アミンの具体例としてはトリメチルアミン、トリエチルアミン、Ｎ、Ｎ−ジメチルブチルアミン、Ｎ、Ｎ−ジメチルヘキシルアミン、Ｎ、Ｎ−ジメチルオクチルアミン、Ｎ−メチル−Ｎ−エチル−プロピルアミンなどがあげられる。本発明における親水性アミン残基の結合の密度は、水不溶性重合体の化学構造および用途により異なるが、少なすぎるとその機能が発現しない傾向にあり、一方、多すぎると、固定化後の重合体の物理的強度が悪くなり、吸着材としての機能も下がる傾向にあるので、該密度は水不溶性重合体の繰り返し単位あたり０．０１〜２．０モル、より好ましくは０．１〜１．０モルが良い。ここで言う親水性アミン残基の結合の密度は、イオン交換樹脂のイオン交換容量測定方法で求めることが出来る。即ち、吸着材１ｇをカラムに詰め、１Ｍ水酸化ナトリウム水溶液５０ｍＬを流し、次に、水を流し、溶出液がフェノールフタレインで赤くならなくなるまで、洗浄する。これに１０ｍＬの１Ｍ塩酸を流し、さらに、３００ｍＬの水を流し、溶出した酸の量を０．５Ｍ水酸化ナトリウム水溶液で中和滴定する。１０ミリモルから中和に要したアルカリ量を差し引いたものが親水性アミン残基の量であり、これを吸着材１ｇに含まれる繰り返し単位で割ることにより親水性アミン残基の結合の密度を求めることが出来る。
【００１８】
本発明で用いる吸着材の表面積は吸着材１グラム当たり０．１平方メートル以上であることが好ましく、より好ましくは、１平方メートル以上である。ただし無限に大きくはできないので、実際上、限界があり、１００平方メートル以下が好ましい。この表面積は窒素ガス吸着法（ＢＥＴ法）で求めることができる。
【００１９】
本発明で用いる吸着材は、親水性アミン残基を結合した水不溶性重合体を膜、繊維、粒状物またはこれらの組み立て品に成型するか、あるいは親水性アミン残基を結合した水不溶性重合体を、膜、繊維、粒状物のいずれかの基材に被覆せしめるか、あるいは水不溶性重合体の膜、繊維等の成型品に親水性アミンを結合させるか等により得ることができる。
【００２０】
親水性アミン残基を結合した水不溶性担体の成型品は、水不溶性重合体の成型品に親水性アミンの溶液を接触させる不均一系反応で調製できる。一例としては、ポリプロピレンで補強されたクロルアセトアミドメチル化ポリスチレン繊維をＮ，Ｎ−ジメチルヘキシルアミンのジメチルホルムアミド溶液もしくはイソプロパノール溶液中に浸し、４０〜１００℃の温度で反応させることにより、容易に調製できる。
【００２１】
腫瘍免疫抑制物質吸着材を充填した体外循環カラムの作製は、例えば綿状、筒編み状、フェルト状の腫瘍免疫抑制物質吸着材を、空隙容積が２００ｍＬ程度以下になるようにして、適度の大きさの円筒形のカラムに詰めることで達成できる。  体外循環の基本的な実施方法としては、採血用穿刺カテーテル、抗凝固剤を連続的に投与するための輸液ポンプを接続したドリップチャンバー、血液ポンプ、ドリップチャンバー、本発明の吸着カラム、ドリップチャンバー、返血用穿刺カテーテルの順に適度の太さのチューブを用いて連結し、体外循環回路を作製し、これに血液を流すことで行うことが出来る。採血および返血は大腿や腕の動脈もしくは静脈に穿刺して行う。大型の哺乳動物に対しては通常、血液透析器や吸着型血液浄化器のために市販されている体外循環装置と血液回路を使用することができる。体外循環の時間は１０分から３００分間、通常、３０分から１２０分間行われるのが好ましい。体外循環の際に用いる抗凝固剤には特に制限はなく、ヘパリンやフサンなどが用いられる。
【００２２】
本発明の使用方法による治療では、抗癌剤（抗悪性腫瘍剤）の使用量が少なくて済むので、副作用が少ない利点がある。さらに、患者のＱＯＬを低下させない利点がある。
【実施例】
【００２３】
以下、実験例により本発明をさらに具体的に説明する。
【００２４】
なお、本実施例中の評価方法は、以下に従った。
１．腫瘍体積の測定
ノギスを用いて、腫瘤の最も長い径（長径）を測定し、それに法線方向の長さ（短径）を測定し、長径×短径×短径×０．５を腫瘍体積とした。
２．比表面積の測定
日本ベル（株）製高精度全自動ガス吸着装置「ＢＥＬＳＯＲＰ  ３６」を用いて、１００℃で脱気前処理の後、窒素ガス、７７Ｋの吸着等温線を求めた。該等温線にＢＥＴ多分子層吸着理論を適用して比表面積を求めた。
３．実施例
（水不溶性担体）
３６島の海島複合繊維であって、島が更に芯鞘複合によりなるものを次の成分を用いて、紡糸速度８００ｍ／分、延伸倍率３倍の製糸条件で得た。
島の芯成分；ポリプロピレン
島の鞘成分；ポリスチレン９０％、ポリプロピレン１０％
海成分；５−ナトリウムスルホイソフタル酸を３％共重合したポリエチレンテレフタレート
複合比率；芯：鞘：海＝４０：４０：２０。
【００２５】
上記で得られた三成分複合繊維を苛性ソーダ水溶液中で加熱して、海成分を溶解し、芯鞘型のポリプロピレン補強ポリスチレン繊維とし、直径４μｍの原糸１を得た。
【００２６】
（中間体）
ニトロベンゼン６００ｍＬと硫酸３９０ｍＬの混合溶液にパラホルムアルデヒド３ｇを２０℃で溶解した後、０℃に冷却し、７５．９ｇのＮ−メチロール−α−クロルアセトアミドを加えて、５℃以下で溶解した。これに１０ｇの上記で調製した原糸１を浸し、室温で２時間静置した。その後、繊維を取りだし、大過剰の冷メタノール中に入れ、洗浄した。繊維をメタノールで良く洗った後、水洗し、乾燥して、１５．０ｇのポリプロピレン補強α−クロルアセトアミドメチル化ポリスチレン繊維（中間体１）を得た。
【００２７】
（親水性アミンの不均一系反応による固定）
Ｎ，Ｎ−ジメチルヘキシルアミン５０ｇとヨウ化カリウム８ｇを３６０ｍＬのＤＭＦに溶かした溶液に５ｇの中間体１を浸し、８５℃のバス中で３時間加熱した。繊維を１モル／Ｌ濃度の食塩水に浸漬した後、水洗し、真空乾燥して、７．３ｇのジメチルヘキシルアンモニウム化繊維（腫瘍免疫抑制物質吸着材）を得た。０．４０ｇの前記腫瘍免疫抑制物質吸着材を内径１ｃｍ内容積２ｍｌのポリプロピレン製円筒形カラムに充填して、癌治療用体外循環カラムを調製した。
【００２８】
（担癌ラットの調製）
１２週令のＷＫＡＨ：Ｈｋｍラット（雄）の背部皮下に４−ジメチルアミノアゾベンゼン誘発肝癌細胞ＫＤＨ−８｛矢野  諭、北海道医誌、６８巻５号、６５４−６６４（１９９３）｝を１×１０6個接種した。癌細胞は１００％の確率で生着した。（通常、接種１週間後から腫瘍が大きくなり、接種後５．５週間で死亡する。）
［抗癌剤投与後体外循環］
（抗癌剤投与）
癌細胞接種１週間後（ラット体重：４００〜４３０ｇ）、０．６ｍｇの塩酸ゲムシタビン（株式会社日本イーラーリリー社、注射用を生理食塩水に溶解し、２０ｍｇ／ｍＬとして使用）を腫瘍の近くに注射した。
【００２９】
（体外循環治療）
癌治療用体外循環カラムは体外循環前に１０００単位のヘパリンナトリウムを含む生理食塩水で予備洗浄し、さらに５００ｍＬの生理食塩水で洗浄して用いた。
【００３０】
ＫＤＨ細胞接種２週間後のラットに、抗癌剤投与した２日後に体外循環治療を行った。大腿動脈から採血し、癌治療用体外循環カラムを通した後、大腿静脈に返血する回路を作製し、２ｍｌ／ｍｉｎの血流で、１時間、体外循環した。体外循環中はヘパリンナトリウム注射液（武田薬品工業（株））を２００Ｕ／ｈの速度で持続注入した。
【００３１】
６匹の治療を行い、癌細胞接種後の腫瘍体積を測定して、実施例１〜６の結果（表１）を得た。無治療群６匹（比較例１〜６）を表２に示した。抗癌剤を投与したが、体外循環治療をしなかった比較例７〜１２を表３に示す。
【００３２】
【表１】
2004275760.tif 000002
【００３３】
【表２】
2004275760.tif 000003
【００３４】
【表３】
2004275760.tif 000004
【００３５】
表１（実施例１〜６）は塩酸ゲムシュタビン投与後２日目にＤＨＰ治療をしたもので、実施例１と２では腫瘍が完全に消失した。実施例３〜６でも、無治療の比較例１〜６（表２）と比べ、腫瘍増殖速度は強く抑えられていることが分かる。比較例７〜１２（表３）は塩酸ゲムシュタビン投与後、ＤＨＰ治療をしなかった場合で、抑制効果は１週間目（１４日目）までは認められるものの、その後は無治療群と差がないことが表２と表３の比較から分かる。これに対し、実施例では腫瘍の増殖が強く抑制されており、三分の一が完治した。
［体外循環後抗癌剤投与］
（体外循環カラム）
実施例１に対応した繊維を不織布としたものを０．４０ｇ、内径１ｃｍ、内容積２ｍＬのポリプロピレン製円筒形カラムに充填して、癌治療用体外循環カラムを調製した。
【００３６】
（抗癌剤投与）
癌細胞接種１週間後（ラット体重：４００〜４３０ｇ）、０．６ｍｇの塩酸ゲムシタビン（株式会社日本イーライリリー社、注射用を生理食塩水に溶解し、２０ｍｇ／ｍＬとして使用）を腹腔内に注射した。
【００３７】
（体外循環治療）
癌治療用体外循環カラムは体外循環前に１０００単位のヘパリンナトリウムを含む生理食塩水で予備洗浄し、さらに５００ｍＬの生理食塩水で洗浄して用いた。
【００３８】
体外循環治療を行った。大腿動脈から採血し、癌治療用体外循環カラムを通した後、大腿静脈に返血する回路を作製し、２ｍＬ／ｍｉｎの血流で、１時間、体外循環した。体外循環中はヘパリンナトリウム注射液（武田薬品工業（株））を２００Ｕ／ｈの速度で持続注入した。２日後抗癌剤を投与した。
【００３９】
６匹の治療を行い、癌細胞接種後の腫瘍体積を測定して、実施例７〜１２の結果（表４）を得た。
比較例７〜１２（表３）との比較から、治療効果が認められることがわかった。
【００４０】
【表４】
2004275760.tif 000005